(57)【要約】      （修正有）【課題】装置が大型化することを抑制しながら、周辺を通行する人などに車両の接近を報知し易くすることが可能な車両用音声報知器を提供する。【解決手段】車両用音声報知器１は、本体筐体の側壁に設けられた放音開口３と、音出力回路部７と、放音開口３に近接して本体筐体の内部に配置されると共に音出力面１０ａが本体筐体２の底部側及び放音開口３側を指向するスピーカー１０と、本体筐体２の内底部に設けられてスピーカー１０の音出力面１０ａと対向すると共に放音開口３側を指向するよう傾斜した傾斜面１３ａを有する音反射部１３と、放音開口３に対してスピーカー１０の配置領域を隔てた箇所に配置されたスピーカー１０の音出力面１０ａの外縁と音反射部１３の傾斜面１３ａとを接続するように延びる湾曲した壁部を備えると共にその音出力面１０ａ側に臨む一面１４ａが放音開口３と対向する音案内部１４とを備える。【選択図】図５
0003202581.tif 000002
【実用新案登録請求の範囲】
【請求項１】
車両との連結部が設けられた本体筐体と、
前記本体筐体の側壁に設けられた放音開口と、
前記放音開口から音を発するための音出力回路部と、
前記放音開口に近接して前記本体筐体の内部に配置されると共に音出力面が前記本体筐体の底部側及び前記放音開口側を指向するように設けられたスピーカーと、
前記本体筐体の内底部に設けられて前記音出力面と対向すると共に前記放音開口側を指向するよう傾斜した傾斜面を有する音反射部と、
前記放音開口に対して前記スピーカーの配置領域を隔てた箇所に配置された前記音出力面の外縁と前記音反射部の前記傾斜面とを接続するように延びる湾曲した壁部を備えると共にその前記音出力面側に臨む一面が前記放音開口と対向する音案内部と
を備えることを特徴とする車両用音声報知器。
【請求項２】
前記放音開口が前記本体筐体の前記側壁の全体に形成されることを特徴とする請求項１に記載の車両用音声報知器。
【請求項３】
前記放音開口が設けられた前記本体筐体の前記側壁が下方を指向するよう傾斜することを特徴とする請求項１または請求項２に記載の車両用音声報知器。
【請求項４】
前記音出力回路部が前記スピーカーから音声と報知音とを連続して出力させることを特徴とする請求項１〜請求項３のいずれかに記載の車両用音声報知器。
【考案の詳細な説明】
【技術分野】
【０００１】
本考案は車両用音声報知器に関するものである。
【背景技術】
【０００２】
自転車などの車両が道路を好適に通行できるよう図るために、車両の接近を周辺の通行人などに報知する報知装置が利用される。自転車用の報知装置としては、例えばベルやブザー、ホーンなどを用いることが知られている。このような自転車用報知装置の他の例としての従来技術が特許文献１に開示されている。
【０００３】
特許文献１に記載された自転車用報知器はスピーカーと、発光部とを備える。これにより、この自転車用報知器は点滅発光や音声報知によって自転車接近の報知を発することができるようになっている。
【先行技術文献】
【特許文献】
【０００４】
【特許文献１】実用新案登録第３１６１７７６号公報
【考案の概要】
【考案が解決しようとする課題】
【０００５】
しかしながら、特許文献１に記載された自転車用報知器はスピーカーが筐体の内部に下方を向くように設置されて底面部に配列されたスピーカー孔を通して筐体の外部に向けて放音するようになっているので、自転車の周辺を通行する人などに自転車接近の報知が届き難い虞があるという課題があった。また、例えば自転車の進行方向前方を通行する人に自転車接近の報知が届き易くするために前方を向くようにスピーカーを設置することが考えらえるが、この場合、報知装置の外形が上下方向に比較的大きくなり、装置が大型化する虞があるという課題があった。
【０００６】
本考案は上記の点に鑑みなされたものであり、装置が大型化することを抑制しながら、周辺を通行する人などに車両の接近を報知し易くすることが可能な車両用音声報知器を提供することを目的とする。
【課題を解決するための手段】
【０００７】
上記の課題を解決するため、本考案の車両用音声報知器は、車両との連結部が設けられた本体筐体と、前記本体筐体の側壁に設けられた放音開口と、前記放音開口から音を発するための音出力回路部と、前記放音開口に近接して前記本体筐体の内部に配置されると共に音出力面が前記本体筐体の底部側及び前記放音開口側を指向するように設けられたスピーカーと、前記本体筐体の内底部に設けられて前記音出力面と対向すると共に前記放音開口側を指向するよう傾斜した傾斜面を有する音反射部と、前記放音開口に対して前記スピーカーの配置領域を隔てた箇所に配置された前記音出力面の外縁と前記音反射部の前記傾斜面とを接続するように延びる湾曲した壁部を備えると共にその前記音出力面側に臨む一面が前記放音開口と対向する音案内部とを備えることを特徴とする。
【０００８】
この構成によると、音出力面が本体筐体の底部側及び前記放音開口側を指向するようにスピーカーが設けられることで、スピーカーが本体筐体の底部に対して傾斜することになる。また、スピーカーの音は音案内部でスピーカーの音出力面から音反射部へと案内され、音反射部の傾斜面に当たって放音開口に向かって反射するので、放音開口、すなわち本体筐体の側壁から音を発し易くなる。
【０００９】
また、上記構成の車両用音声報知器において、前記放音開口が前記本体筐体の前記側壁の全体に形成されることを特徴とする。
【００１０】
また、上記構成の車両用音声報知器において、前記放音開口が設けられた前記本体筐体の前記側壁が下方を指向するよう傾斜することを特徴とする。
【００１１】
また、上記構成の車両用音声報知器において、前記音出力回路部が前記スピーカーから音声と報知音とを連続して出力させることを特徴とする。
【考案の効果】
【００１２】
本考案の構成によれば、音出力面が本体筐体の底部側及び前記放音開口側を指向するようにスピーカーを底部に対して傾斜させて設けることができ、さらに本体筐体の正面側の側壁から音を発し易くすることが可能である。したがって、装置が大型化することを抑制しながら、周辺を通行する人などに車両の接近を報知し易くすることが可能な車両用音声報知器を提供することができる。
【図面の簡単な説明】
【００１３】
【図１】本考案の実施形態の車両用音声報知器を正面側から見た斜視図である。
【図２】本考案の実施形態の車両用音声報知器を正面側下方から見た斜視図である。
【図３】本考案の実施形態の車両用音声報知器を示す側面図である。
【図４】本考案の実施形態の車両用音声報知器の分解状態を示す側面図である。
【図５】本考案の実施形態の車両用音声報知器の分解状態を示す斜視図である。
【考案を実施するための形態】
【００１４】
以下、本考案の実施形態について図面を参照しながら説明する。なお、本考案は以下の内容に限定されるものではない。
【００１５】
図１及び図２は本考案の実施形態の車両用音声報知器を正面側から見た斜視図及び正面側下方から見た斜視図である。図３及び図４は車両用音声報知器を示す側面図及び分解状態を示す側面図である。図５は車両用音声報知器の分解状態を示す斜視図である。なお、図１〜図３は車両用音声報知器の外観図であり、図４及び図５は車両用音声報知器の構成要素を上下方向に移動させて分解した状態を示す。
【００１６】
図１〜図５に示した車両用音声報知器１は不図示の自転車等の車両のハンドル部等に取り付けられ、音を発することで車両の接近を周辺の通行人などに報知する装置である。車両用音声報知器１は略直方体形状を成す本体筐体２を備える。本体筐体２の正面側の側壁には放音開口３が設けられる。
【００１７】
なお、この説明において、本体筐体２の放音開口３が設けられた側が車両用音声報知器１の正面側（前側、図３及び図４の左方）であり、本体筐体２の放音開口３に対する反対側が車両用音声報知器１の背面側（後側、図３及び図４の右方）である。すなわち、図３及び図４の上下方向、左右方向及び紙面奥行き方向が車両用音声報知器１の上下方向、前後方向及び左右方向である。
【００１８】
本体筐体２は本体上部２Ｔと本体下部２Ｂとに分割することができる。
【００１９】
本体下部２Ｂはその外底面２ａに自転車などの車両との連結部であるアジャスター台４を備える。アジャスター台４は車両のハンドル部等に設けられる不図示のブラケットに連結される。このアジャスター台４を用いて車両用音声報知器１は車両のハンドル部等に対して着脱可能に取り付けられる。
【００２０】
本体下部２Ｂはその後部に一体として形成された電池ケース５を備える。電池ケース５は本体下部２Ｂの外底面２ａから上方に向かって窪んだ凹部として形成され、その凹部の内側に不図示の端子を有する。電池ケース５は、例えば単４形の円筒型単電池を２本収容することができる。
【００２１】
電池ケース５の外部に対する開口部には電池ケースカバー６が設けられる。電池ケースカバー６は所謂スナップフィット式で本体下部２Ｂに対して着脱が可能である。アジャスター台４は電池ケースカバー６の外底面２ａ側に接合される。
【００２２】
本体筐体２の内部には音出力回路部７、スイッチ８、スイッチカバー９、スピーカー１０及びスピーカー保持部材１１が設けられる。
【００２３】
音出力回路部７は電池ケース５の上方に配置される。音出力回路部７は電池ケース５の端子と電気的に接続されて、電池ケース５の電池から電力が供給される。さらに、音出力回路部７はスイッチ８及びスピーカー１０と電気的に接続される。音出力回路部７は記憶部７ａやその他不図示の電子部品を含み、スイッチ８の操作で電源ＯＮの状態となると、スピーカー１０から音を出力するよう構成される。
【００２４】
本体上部２Ｔの上面２ｃであって、スイッチ８に対応する箇所にはスイッチ穴１２が設けられる。スイッチ穴１２は本体上部２Ｔの内外を貫通する。スイッチ８はその操作部である上部がスイッチカバー９で覆われた状態でスイッチ穴１２から覗くように設置される。スイッチカバー９は、例えばゴムなどの柔軟性が比較的高い材料から成る。利用者はスイッチ穴１２から覗くスイッチ８（スイッチカバー９）を操作することで車両用音声報知器１を動作させることができる。
【００２５】
スピーカー１０は本体筐体２の内部の電池ケース５の前方に、放音開口３に近接して配置される。スピーカー１０は、図１、図３及び図４に示すようにその音出力面１０ａが本体筐体２の底部側及び放音開口３側を指向するように設けられる。すなわち、スピーカー１０はその音出力面１０ａが本体筐体２の外底面２ａとの平行状態に迫る程度に外底面２ａに対して傾斜する。スピーカー１０はその外形が円形を成し、不図示のボイスコイルや磁石、ダンパー、振動板（コーン）、センターキャップなどといった構成要素を備えて成る公知の一般的な構成のスピーカーである。
【００２６】
スピーカー保持部材１１はスピーカー１０の外縁に嵌合してその外縁を保持するリング状を成す。すなわち、スピーカー保持部材１１の内径はスピーカー１０の外径よりも大きい。スピーカー１０はスピーカー保持部材１１を介して本体下部２Ｂの後述する音案内部１４の上部に取り付けられる。
【００２７】
本体下部２Ｂはその前部であって電池ケース５の前方に、一体として形成された音反射部１３及び音案内部１４を備える。
【００２８】
音反射部１３は本体筐体２の内底部の近傍に設けられてスピーカー１０の音出力面１０ａと対向する傾斜面１３ａを有する。さらに、音反射部１３の傾斜面１３ａはその一部が放音開口３側を指向するよう湾曲する。これにより、スピーカー１０の音出力面１０ａから出力された音は傾斜面１３ａに当たり、放音開口３に向かって反射する。
【００２９】
音案内部１４はスピーカー１０と音反射部１３との間の、放音開口３に対してスピーカー１０の配置領域を隔てた箇所、すなわちスピーカー１０の配置箇所よりも後方に配置される。音案内部１４はスピーカー１０の音出力面１０ａの外縁、すなわちスピーカー保持部材１１と音反射部１３の傾斜面１３ａとを接続するように延びる平面視円弧状に湾曲した壁部とを備える。さらに、音案内部１４はその湾曲した壁部の内側の面である音出力面１０ａ側に臨む一面１４ａが放音開口３と対向する。これにより、スピーカー１０の音出力面１０ａから出力された音を放音開口３に導き易くなると共に、その音が本体筐体２の後方（電池ケース５側）に向かうことが抑制される。
【００３０】
音案内部１４の上部にはスピーカー保持部材１１の支持部１４ｂが設けられる。支持部１４ｂは下方からスピーカー保持部材１１を支持するための段差部を有し、その段差部にはスピーカー保持部材１１の外底面を受ける支持面１４ｃが形成される。支持部１４ｂの支持面１４ｃは、図４に示すように本体筐体２の側方から見ると外底面２ａ対して傾斜するように形成される。これにより、スピーカー１０がスピーカー保持部材１１を介して音案内部１４の支持部１４ｂで支持されると、スピーカー１０はその音出力面１０ａが本体筐体２の外底面２ａとの平行状態に迫る程度に外底面２ａに対して傾斜する形態となる。
【００３１】
ここで、放音開口３は本体筐体２の正面側の側壁の全体（一面）に形成される。さらに、放音開口３が設けられた本体筐体２の側壁が、図３に示すように下方を指向するよう傾斜する。
【００３２】
前述のように、スピーカー１０から出力される音は音出力回路部７で生成される。音出力回路部７は音声をスピーカー１０から出力させることができる。音声は、例えば「自転車が通ります」などといった言葉で構成される。さらに、音声は日本語のほか、例えば英語や中国語、韓国語、フランス語、ドイツ語、スペイン語などの複数の言語の言葉で構成される。また音声と共に報知音を出力させてもよい。報知音は、例えばベルやブザー、ホーンなど警笛に類する音や、その他電子音などで構成される。
【００３３】
音声及び報知音の音データは音出力回路部７に設けられた記憶部７ａに記憶される。音出力回路部７は複数の種類の音声と報知音とを適宜任意に選択してスピーカー１０から出力させることができる。さらに、音出力回路部７は音声と報知音とを連続して出力することができ、また音声及び報知音のいずれを先に出力するかも選択することが可能である。
【００３４】
上記の実施形態のように、車両用音声報知器１は、車両との連結部であるアジャスター台４が設けられた本体筐体２と、本体筐体２の側壁に設けられた放音開口３と、放音開口３から音を発するための音出力回路部７と、放音開口３に近接して本体筐体２の内部に配置されると共に音出力面１０ａが本体筐体２の底部側及び放音開口３側を指向するように設けられたスピーカー１０と、本体筐体２の内底部に設けられてスピーカー１０の音出力面１０ａと対向すると共に放音開口３側を指向するよう傾斜した傾斜面１３ａを有する音反射部１３と、放音開口３に対してスピーカー１０の配置領域を隔てた箇所に配置されたスピーカー１０の音出力面１０ａの外縁と音反射部１３の傾斜面１３ａとを接続するように延びる湾曲した壁部とを備えると共にその音出力面１０ａ側に臨む一面１４ａが放音開口３と対向する音案内部１４とを備える。
【００３５】
この構成によれば、音出力面１０ａが本体筐体２の底部側及び放音開口３側を指向するようにスピーカー１０を設けることで、スピーカー１０を本体筐体２の底部に対して傾斜させることができる。したがって、装置の薄型化及び小型化を図ることが可能である。また、音反射部１３の傾斜面１３ａがスピーカー１０の音出力面１０ａと対向すると共に放音開口３を指向するので、スピーカー１０の音を傾斜面１３ａに当てて放音開口３に向けて反射させることができる。さらに、壁部から成る音案内部１４がスピーカー１０の音を音出力面１０ａから音反射部１３へと案内し、音案内部１４の音出力面１０ａ側に臨む一面１４ａが放音開口３と対向するので、スピーカー１０の音を放音開口３に導き易くすることができると共に、その音が本体筐体２の背面方向に向かうことを抑制することが可能である。したがって、放音開口３、すなわち本体筐体２の正面側の側壁から音を発し易くすることができる。このようにして、装置が大型化することを抑制しながら、周辺を通行する人などに車両の接近を報知し易くすることが可能な車両用音声報知器１を提供することができる。
【００３６】
また、車両用音声報知器１は、放音開口３が本体筐体２の正面側の側壁の全体に形成される。
【００３７】
この構成によれば、放音開口３が設けられた本体筐体２の側壁の内側でスピーカー１０の音が反射されることを回避することができる。したがって、音質の低下や音量の低減を防止することが可能である。さらに、音声や報知音がはっきりと聞こえるようになるので、周辺を通行する人などに対する車両の接近の認識度合を向上させることができる。
【００３８】
また、車両用音声報知器１は、放音開口３が設けられた本体筐体２の側壁が下方を指向するよう傾斜する。
【００３９】
この構成によれば、放音開口３から発せられた音が上方に向かって拡散することを抑制することができる。これにより、放音開口３から発せられた音が車両用音声報知器１の正面側、すなわち車両の前方に届き易くなる。したがって、報知が意図しない方向に届くことを抑制することができ、車両の前方を通行する人などに車両の接近をより報知し易くさせることが可能になる。
【００４０】
また、車両用音声報知器１は、音出力回路部７がスピーカー１０から音声と報知音とを連続して出力させる。
【００４１】
この構成によれば、周辺を通行する人などに対する車両の接近の認識度合をより一層向上させることが可能になる。
【００４２】
以上、本考案の実施形態につき説明したが、本考案の範囲はこれに限定されるものではなく、考案の主旨を逸脱しない範囲で種々の変更を加えて実施することができる。
【産業上の利用可能性】
【００４３】
本考案は車両用音声報知器に利用することができる。
【符号の説明】
【００４４】
１    車両用音声報知器
２    本体筐体
３    放音開口
４    アジャスター台（連結部）
７    音出力回路部
８    スイッチ
１０  スピーカー
１０ａ  音出力面
１１  スピーカー保持部材
１３  音反射部
１３ａ  傾斜面
１４  音案内部
１４ａ  一面
【図１】
0003202581.tif 000003
【図２】
0003202581.tif 000004
【図３】
0003202581.tif 000005
【図４】
0003202581.tif 000006
【図５】
0003202581.tif 000007